(57)【要約】【課題】主に各種電子機器の操作に用いられるスイッチ装置及びこれを用いたリモコン送信機に関し、誤操作がなく、多様な操作が可能なものを提供することを目的とする。【解決手段】操作体１２が回転及び傾倒操作可能に突出したケース１１の開口孔１１Ａ内に、上下面が略円弧状の保持部１１Ｄを設けると共に、操作体１２中央下面、及びこの下面に係合した押圧体１３中央上面に、保持部１１Ｄに当接する略円弧状の摺動部１２Ａと１３Ａを設けることによって、操作体１２および押圧体１３がケース１１開口孔１１Ａ内の保持部１１Ｄを摺動して傾倒操作が行われるため、操作方向以外のスイッチ接点を接離させることがなくなり、誤操作がなく、多様な操作が可能なスイッチ装置及びこれを用いたリモコン送信機を得ることができる。【選択図】図１
2006196337.tif 000002
【特許請求の範囲】
【請求項１】
上面に開口孔が形成されたケースと、このケースの開口孔から回転及び傾倒操作可能に突出した操作体と、この操作体下面に係合した押圧体と、この押圧体の傾倒操作によって電気的接離を行う複数のスイッチ接点からなり、上記ケース開口孔内に上下面が略円弧状の保持部を設けると共に、上記操作体中央下面及び上記押圧体中央上面に、上記保持部に当接する略円弧状の摺動部を設けたスイッチ装置。
【請求項２】
請求項１記載のスイッチ装置と、このスイッチ接点に接続された制御手段からなり、上記制御手段が上記スイッチ接点の電気的接離に応じて、送信手段からリモコン信号を送信するリモコン送信機。
【発明の詳細な説明】
【技術分野】
【０００１】
本発明は、主に各種電子機器の操作に用いられるスイッチ装置、及びこれを用いたリモコン送信機に関するものである。
【背景技術】
【０００２】
近年、映像や音響、空調等の各種電子機器の高機能化が進むなか、これらを操作するスイッチ装置やリモコン送信機においても、多様な操作が可能で、かつ確実に操作を行えるものが求められている。
【０００３】
このような従来のスイッチ装置及びこれを用いたリモコン送信機について、図４及び図５を用いて説明する。
【０００４】
図４は従来のリモコン送信機の断面図であり、同図において、１は絶縁樹脂製で略箱状のケース、２は略円盤状の操作体、３は絶縁樹脂製の押圧体で、ケース１上面に形成された開口孔１Ａから、操作体２が回転及び傾倒操作可能に突出すると共に、操作体２下面には押圧体３が係合している。
【０００５】
そして、４はゴム等のシート状の弾性体で、略ドーム状の薄肉部を有する四つのキー５Ａ、５Ｂ、５Ｃ、５Ｄが左右前後に設けられ、この各キーの上面が押圧体３下面に当接すると共に、各キーの下面にはカーボン等によって可動接点４Ａが設けられている。
【０００６】
また、６は上下面に複数の配線パターン（図示せず）が形成された配線基板で、この上面に弾性体４が載置されると共に、配線基板６上面には、可動接点４Ａと所定の間隙を空けて対向する複数の固定接点６Ａが、カーボン等によって設けられて、複数のスイッチ接点が形成されている。
【０００７】
さらに、７はレバー７Ａが揺動可能に上方ヘ突出した検知スイッチで、この検知スイッチ７が配線基板６上面に実装され、所定の配線パターンに接続されると共に、レバー７Ａが操作体２下面内周のカム部２Ａに当接して、スイッチ装置が構成されている。
【０００８】
そして、配線基板６上下面には、発光ダイオード等の電子部品によってリモコン信号を送信する送信手段８や、配線パターンを介して固定接点６Ａや検知スイッチ７に接続された、マイコン等の制御手段９が形成されてリモコン送信機が構成されている。
【０００９】
以上の構成において、スイッチ装置の操作体２を時計方向または反時計方向へ回転操作すると、操作体２下面内周のカム部２Ａが検知スイッチ７のレバー７Ａに当接し、レバー７Ａが揺動して検知スイッチ７の電気的接離が行われ、この電気信号が制御手段９へ出力される。
【００１０】
そして、この検知スイッチ７の電気的接離に応じて、制御手段９が送信手段８から赤外線のリモコン信号を、テレビやビデオ、エアコン等の電子機器へ送信し、例えば、回転操作が時計方向である場合にはビデオテープの早送りが、反時計方向である場合には巻き戻し等が行われる。
【００１１】
また、操作体２上面の前後左右の端部を押圧して、例えば、図５の断面図に示すように、左方向へ傾倒操作すると、操作体２がケース１下面に当接した右端部を支点として左方向へ傾き、操作体２下面に係合した押圧体３の下面左端が左側のキー５Ａの上面を押圧し、略ドーム状の薄肉部が弾性変形して可動接点４Ａが下方へ移動し、固定接点６Ａと接触してスイッチ接点の電気的接離が行われる。
【００１２】
そして、この左側の固定接点６Ａの電気的接離に応じて、制御手段９が送信手段８から赤外線のリモコン信号を電子機器へ送信し、例えば、機器の音量や温度の増加が遠隔操作によって行われる。
【００１３】
同様に、操作体２上面の右端部を押圧して右方向へ傾倒操作した場合には、右側のキー５Ｂが、前後端部を押圧して前後方向へ傾倒操作した場合には、キー５Ｃや５Ｄが各々押圧されて、これらの電気的接離が行われ、例えば、機器の音量・温度の減少や、受像している選局の切換え等が行われるように構成されているものであった。
【００１４】
なお、この出願の発明に関連する先行技術文献情報としては、例えば、特許文献１が知られている。
【特許文献１】特開２００１−２７３８３８号公報
【発明の開示】
【発明が解決しようとする課題】
【００１５】
しかしながら、上記従来のスイッチ装置及びこれを用いたリモコン送信機においては、操作体２を前後左右へ傾倒操作、例えば図５に示したように、左方向へ傾倒操作した際、操作体２及び押圧体３の全体が、右端部を支点として左方向へ傾き、押圧体３の下面左端が左側のキー５Ａの上面を押圧すると同時に、前後端がキー５Ｃや５Ｄも押圧してしまうため、操作時の力の加え方次第では、操作方向とは異なるキー５Ｃや５Ｄの電気的接離も行われてしまい、誤操作が生じ易いという課題があった。
【００１６】
本発明は、このような従来の課題を解決するものであり、誤操作がなく、多様な操作が可能なスイッチ装置、及びこれを用いたリモコン送信機を提供することを目的とする。
【課題を解決するための手段】
【００１７】
上記目的を達成するために本発明は、以下の構成を有するものである。
【００１８】
本発明の請求項１に記載の発明は、操作体が回転及び傾倒操作可能に突出したケースの開口孔内に、上下面が略円弧状の保持部を設けると共に、操作体中央下面、及びこの下面に係合した押圧体中央上面に、保持部に当接する略円弧状の摺動部を設けてスイッチ装置を構成したものであり、操作体および押圧体がケース開口孔内の保持部を摺動して傾倒操作が行われるため、操作方向以外のスイッチ接点を接離させることがなくなり、誤操作がなく、多様な操作が可能なスイッチ装置を得ることができるという作用を有する。
【００１９】
請求項２に記載の発明は、請求項１記載のスイッチ装置のスイッチ接点に制御手段を接続し、スイッチ接点の電気的接離に応じて、制御手段が送信手段からリモコン信号を送信するようにしてリモコン送信機を構成したものであり、誤操作がなく、多様な操作が可能なリモコン送信機を実現することができるという作用を有する。
【発明の効果】
【００２０】
以上のように本発明によれば、誤操作がなく、多様な操作が可能なスイッチ装置、及びこれを用いたリモコン送信機を実現できるという有利な効果が得られる。
【発明を実施するための最良の形態】
【００２１】
以下、本発明の実施の形態について、図１〜図３を用いて説明する。
【００２２】
（実施の形態）
図１は本発明の一実施の形態によるリモコン送信機の断面図、図２は同分解斜視図であり、同図において、１１は略箱状でポリスチレンやＡＢＳ等の絶縁樹脂製のケースで、上面には開口孔１１Ａや複数の貫通孔１１Ｂが形成されると共に、開口孔１１Ａ内の中央には、複数の桟部１１Ｃによって本体と連結された、上下面が略円弧状の保持部１１Ｄが設けられている。
【００２３】
そして、１２は略円盤状で絶縁樹脂製の操作体で、上面がケース１１の開口孔１１Ａから回転及び傾倒操作可能に突出すると共に、操作体１２中央下面には、下方へ突出し下端が略円弧状の摺動部１２Ａが設けられ、この摺動部１２Ａが開口孔１１Ａ内の保持部１１Ｄ上面に当接している。
【００２４】
また、１３は絶縁樹脂製の押圧体で、中央上面の略円弧状の摺動部１３Ａが開口孔１１Ａ内の保持部１１Ｄ下面に当接すると共に、前後左右に延出したアーム部１３Ｂ先端の爪部１３Ｃが、ケース１１の複数の開口部１１Ｅを挿通し、操作体１２下面に係合して、ケース１１に対し押圧体１３が、傾倒は可能だが回転はしないように係止されている。
【００２５】
そして、４はゴムやエラストマー等のシート状の弾性体で、略ドーム状の薄肉部を有する四つのキー５Ａ、５Ｂ、５Ｃ、５Ｄが左右前後に設けられ、この各キーの上面が押圧体１３のアーム部１３Ｂ下面に当接すると共に、これら各キーやケース１１の貫通孔１１Ｂから上方へ突出した複数のキー５Ｅの下面には、カーボン等によって可動接点４Ａが設けられている。
【００２６】
また、６は紙フェノールやガラス入りエポキシ等の配線基板で、上下面に銅箔等によって複数の配線パターン（図示せず）が形成され、この上面に弾性体４が載置されると共に、配線基板６上面には、可動接点４Ａと所定の間隙を空けて対向する複数の固定接点６Ａが、カーボン等によって設けられて、複数のスイッチ接点が形成されている。
【００２７】
さらに、７はレバー７Ａが揺動可能に上方ヘ突出した検知スイッチで、この検知スイッチ７が配線基板６上面に実装され、所定の配線パターンに接続されると共に、レバー７Ａが貫通孔４Ｂや開口部１１Ｆを挿通し、操作体１２下面内周のカム部１２Ｂに当接して、スイッチ装置が構成されている。
【００２８】
そして、配線基板６上下面には、発光ダイオード等の電子部品によってリモコン信号を送信する送信手段８や、配線パターンを介して固定接点６Ａや検知スイッチ７に接続された、マイコン等の制御手段９が形成されてリモコン送信機が構成されている。
【００２９】
以上の構成において、スイッチ装置の操作体１２を時計方向または反時計方向へ回転操作すると、操作体１２下面内周のカム部１２Ｂが検知スイッチ７のレバー７Ａに当接し、レバー７Ａが前後方向へ揺動して検知スイッチ７の電気的接離が行われ、この電気信号が制御手段９ヘ出力される。
【００３０】
そして、この検知スイッチ７の電気的接離に応じて、制御手段９が送信手段８から赤外線のリモコン信号を、テレビやビデオ、エアコン等の電子機器へ送信し、例えば、回転操作が時計方向である場合にはビデオテープの早送りが、反時計方向である場合には巻き戻し等が行われる。
【００３１】
なお、この時、操作体１２下面に係合した押圧体１３は、上述したように、アーム部１３Ｂ先端の爪部１３Ｃがケース１１の複数の開口部１１Ｅを挿通し、ケース１１に係止されているため、操作体１２と共に回転はしない。
【００３２】
そして、回転操作される操作体１２は、中央下面に突出した略円弧状の摺動部１２Ａが、ケース１１の開口孔１１Ａ内の同じく略円弧状の保持部１１Ｄ上面に当接し、互いに略円弧状の面同士で、滑らかに摺動して回転が行われるように構成されている。
【００３３】
また、操作体１２上面の前後左右の端部を押圧して、例えば、図３の断面図に示すように、左方向へ傾倒操作すると、操作体１２は摺動部１２Ａが開口孔１１Ａ内の保持部１１Ｄ上面を摺動し、押圧体１３は中央上面の摺動部１３Ａが保持部１１Ｄ下面を摺動して左方向へ傾き、操作体１２下面に係合した押圧体１３のアーム部１３Ｂ下面左端が左側のキー５Ａの上面を押圧する。
【００３４】
そして、キー５Ａの略ドーム状の薄肉部が弾性変形して可動接点４Ａが下方へ移動し、左側の固定接点６Ａと接触してスイッチ接点の電気的接離が行われ、この固定接点６Ａの電気的接離に応じて、制御手段９が送信手段８から赤外線のリモコン信号を電子機器へ送信して、例えば、機器の音量や温度の増加が遠隔操作によって行われる。
【００３５】
同様に、操作体１２上面の右端部を押圧して右方向へ傾倒操作した場合には、右側のキー５Ｂが、前後端部を押圧して前後方向へ傾倒操作した場合には、キー５Ｃや５Ｄが各々押圧されて、これらの電気的接離が行われ、例えば、機器の音量・温度の減少や、受像している選局の切換え、画面に表示されたカーソルの移動等が行われる。
【００３６】
また、この時、操作体１２は中央下面の摺動部１２Ａが、ケース１１の開口孔１１Ａ内の保持部１１Ｄ上面に、押圧体１３は中央上面の略円弧状の摺動部１３Ａが、開口孔１１Ａ内の同じく略円弧状の保持部１１Ｄ下面に当接し、各々互いに略円弧状の面同士で、滑らかに摺動して傾倒操作が行われる。
【００３７】
さらに、ケース１１に対し傾倒は可能だが回転はしないように係止された押圧体１３が、保持部１１Ｄを支点として操作された方向にのみ傾倒し、前後左右に延出した各アーム部１３Ｂの下面端部が、操作された方向のキーのみを押圧して、各スイッチ接点の電気的接離が行われるため、操作方向以外のスイッチ接点が接離する等の誤操作が生じないように構成されている。
【００３８】
なお、キー５Ｅを押圧操作した場合には、同じく下面の可動接点４Ａが各々の固定接点６Ａと接触して電気的接離が行われ、これに応じて制御手段９がリモコン信号を電子機器へ送信して、例えば、機器の電源の入／切やテレビ／ビデオの入力切換え等が行われ、指を離すと、略ドーム状の薄肉部の弾性復帰力によって、キー５Ｅが元の状態に復帰する。
【００３９】
このように本実施の形態によれば、操作体１２が回転及び傾倒操作可能に突出したケース１１の開口孔１１Ａ内に、上下面が略円弧状の保持部１１Ｄを設けると共に、操作体１２中央下面、及びこの下面に係合した押圧体１３中央上面に、保持部１１Ｄに当接する略円弧状の摺動部１２Ａと１３Ａを設けることによって、操作体１２および押圧体１３がケース１１開口孔１１Ａ内の保持部１１Ｄを摺動して傾倒操作が行われるため、操作方向以外のスイッチ接点を接離させることがなくなり、誤操作がなく、多様な操作が可能なスイッチ装置及びこれを用いたリモコン送信機を得ることができるものである。
【００４０】
なお、以上の説明では、押圧体１３下方に、シート状の弾性体４に一体形成された四つのキー５Ａ、５Ｂ、５Ｃ、５Ｄを配置して、複数のスイッチ接点を形成した構成について説明したが、配線基板６上面の固定接点６Ａ上に、略ドーム状で導電金属薄板製の可動接点を載置したり、或いは配線基板６上に、複数の個別のプッシュスイッチを実装したもの等、様々なスイッチ接点を用いても本発明の実施は可能である。
【００４１】
また、操作体１２の回転操作によって電気的接離を行うスイッチも、上記のようなレバー７Ａが前後方向へ揺動する検知スイッチ７の他、操作体１２の回転操作に応じて、スイッチの電気的接離が繰返されるものであれば、様々な操作方式や形状のものにおいて実施が可能である。
【産業上の利用可能性】
【００４２】
本発明によるスイッチ装置及びこれを用いたリモコン送信機は、誤操作がなく、多様な操作が可能なものが得られ、主に各種電子機器の操作用として有用である。
【図面の簡単な説明】
【００４３】
【図１】本発明の一実施の形態によるリモコン送信機の断面図
【図２】同分解斜視図
【図３】同傾倒操作時の断面図
【図４】従来のリモコン送信機の断面図
【図５】同傾倒操作時の断面図
【符号の説明】
【００４４】
４  弾性体
４Ａ  可動接点
５Ａ、５Ｂ、５Ｃ、５Ｄ、５Ｅ  キー
６  配線基板
６Ａ  固定接点
７  検知スイッチ
７Ａ  レバー
８  送信手段
９  制御手段
１１  ケース
１１Ａ  開口孔
１１Ｂ  貫通孔
１１Ｃ  桟部
１１Ｄ  保持部
１１Ｅ、１１Ｆ  開口部
１２  操作体
１２Ａ  摺動部
１２Ｂ  カム部
１３  押圧体
１３Ａ  摺動部
１３Ｂ  アーム部
１３Ｃ  爪部
【図１】
2006196337.tif 000003
【図２】
2006196337.tif 000004
【図３】
2006196337.tif 000005
【図４】
2006196337.tif 000006
【図５】
2006196337.tif 000007